(57)【要約】      （修正有）【課題】微酸性電解水の多量の微細粒を空中に長時間漂わせることにより、居住環境内の新型コロナウイルスを確実かつ安価に殺菌・除菌することのできるウイルス除去装置を提供する。【解決手段】ウイルス除去装置は、塩素含有の微酸性電解水Ｐを貯留する貯留タンク５と、貯留タンク５の微酸性電解水Ｐを汲み上げて吐出する液ポンプ１０と、液ポンプ１０の吐出管２５に配管接続されていて液ポンプ１０から吐出された微酸性電解水Ｐを噴霧する噴霧ノズル１１と、噴霧ノズル１１に設けられていて噴霧ノズル１１内を流通する噴霧前の微酸性電解水Ｐを所定温度に加熱する電熱ヒータ２８とを備えている。そして、人感センサー７と、人感センサー７が人を検知したときに液ポンプ１０を駆動して噴霧ノズル１１から微酸性電解水Ｐを噴霧させるリレーモジュール９も備えている。【選択図】図３
0003233539.tif 000002
【実用新案登録請求の範囲】
【請求項１】
塩素含有の微酸性電解水を貯留する貯留タンクと、
前記貯留タンクの微酸性電解水を汲み上げて吐出する液ポンプと、
前記液ポンプの吐出管に配管接続されていて前記液ポンプから吐出された微酸性電解水を噴霧する噴霧ノズルと、
前記噴霧ノズルに設けられていて前記噴霧ノズル内を流通する噴霧前の微酸性電解水を所定温度に加熱する加熱機構と、
を備えて成ることを特徴とするウイルス除去装置。
【請求項２】
人の存在を検知する人感センサーと、
前記人感センサーが前記人の存在を検知したときに前記液ポンプを駆動して前記噴霧ノズルから前記微酸性電解水を噴霧させる制御機構と、
を備えていることを特徴とする請求項１に記載のウイルス除去装置。
【請求項３】
計時を行なうとともに、予め設定された時間または時刻に基づいて前記液ポンプの始動または停止をさせるタイマー機構を備えていることを特徴とする請求項１に記載のウイルス除去装置。
【請求項４】
請求項２に記載の前記人感センサーおよび前記制御機構、ならびに請求項３に記載の前記タイマー機構を有して成るとともに、前記人感センサーによる前記液ポンプの駆動と前記タイマー機構による前記液ポンプの駆動とを外部からの設定により切り換える切換え機構を備えていることを特徴とするウイルス除去装置。
【考案の詳細な説明】
【技術分野】
【０００１】
本考案は、新型コロナウイルスやインフルエンザウイルスなどを殺菌・除菌する装置に係り、更に詳しくは人のいる環境をウイルス除去状態にし得るウイルス除去装置に関するものである。
【背景技術】
【０００２】
一昨年末から世界的に広がった新型コロナウイルスは、日本国内では現在も衰える状況にならず蔓延している。一方で、下記の非特許文献１に示されるように、希塩酸を電気分解して生成した次亜塩素酸を主成分とするｐＨ５．０〜６．５の水溶液（本考案では微酸性電解水と称する）に関する安全性試験（JIS  K0106）が実施され、塩素濃度５４ｐｐｍの微酸性電解水の安全性が認められたことが古くから知られている。
そうして、上記の微酸性電解水は、下記の非特許文献２に示されるように、令和２年６月２５日に経済産業省所管の独立行政法人製品評価技術基盤機構主催の有効性評価に関する検討委員会において、新型コロナウイルス（ＣＯＶＩＤ−１９） に対して有効であることが報告されている。このときに用いられた微酸性電解水は次亜塩素酸を含んでおり、塩素濃度が５４．５ｐｐｍでｐＨが５．１６であった。
そして、現在は、下記の非特許文献３に示されるように、上記の微酸性電解水をプラボトルに収容した手動式ポンプ付きのハンドスプレーが市販されており、家庭や職場その他で汎用されている。
【先行技術文献】
【特許文献】
【０００３】
【非特許文献１】インターネットエクスプローラブラウザに表示された「微酸性電解水ミストのラットに対する暴露試験論文」（応用薬理、76巻、117-122、（2009））（http://www.cml-office.org/wwatch/claim/case02/file1.pdf）
【非特許文献２】インターネットエクスプローラブラウザに表示された「第５回新型コロナウイルスに対する代替消毒手法の有効性評価に関する検討委員会議事概要」（https://www.nite.go.jp/data/000113084.pdf）
【非特許文献３】インターネットエクスプローラブラウザに表示された「次亜塩素酸水ハンドスプレーの商品説明」（http://ykc.tokyo/lp/lp001/?gclid=EAIaIQobChMIz52C-vDc8AIVzsCWCh32ew#nEAAYASAAEgKwU#D#BwE）
【考案の概要】
【考案が解決しようとする課題】
【０００４】
しかしながら、上記した非特許文献３の次亜塩素酸水ハンドスプレーは、手動ポンプによりノズルから微酸性電解水の液滴を噴霧するものであって、ノズルから噴射された液滴は比較的粒径の大きなものが多く、それらのほとんどは即時ないし十数秒足らずで床上に落下する。そのために、微酸性電解水の液滴が長時間空中に漂って、空中に浮遊していた新型コロナウイルスを殺菌・除菌するといったことができなかったのである。
一方で、このハンドスプレーから噴霧された液滴のなかには、ごく微量であるが微細なものも含まれており、それらは比較的長時間空中に浮遊する。しかしながら、そのように微細な液滴はごく少量であるため、空中の新型コロナウイルスを確実に除去するためには、絶え間なく多くの噴霧回数や噴霧量を必要とし、手動操作の手間と経済性に鑑みると現実的でない。
【０００５】
本考案は、上記した従来の問題点に鑑みてなされたものであって、微酸性電解水の多量の微細粒を空中に長時間漂わせることにより、居住環境内の新型コロナウイルスを確実かつ安価に殺菌・除菌することのできるウイルス除去装置の提供を目的とする。
【課題を解決するための手段】
【０００６】
上記目的を達成するために、本考案に係るウイルス除去装置は、塩素含有の微酸性電解水を貯留する貯留タンクと、貯留タンクの微酸性電解水を汲み上げて吐出する液ポンプと、液ポンプの吐出管に配管接続されていて液ポンプから吐出された微酸性電解水を噴霧する噴霧ノズルと、噴霧ノズルに設けられていて噴霧ノズル内を流通する噴霧前の微酸性電解水を所定温度に加熱する加熱機構と、を備えて成ることを特徴とする構成にされている。
【０００７】
また、請求項１の構成において、人の存在を検知する人感センサーと、人感センサーが人の存在を検知したときに液ポンプを駆動して噴霧ノズルから微酸性電解水を噴霧させる制御機構と、を備えていることを特徴とするものである。
【０００８】
そして、請求項１の構成において、計時を行なうとともに、予め設定された時間または時刻に基づいて液ポンプの始動または停止をさせるタイマー機構を備えていることを特徴とするものである。
【０００９】
更に、請求項２に記載の人感センサーおよび制御機構、ならびに請求項３に記載のタイマー機構を有して成るとともに、人感センサーによる液ポンプの駆動とタイマー機構による液ポンプの駆動とを外部からの設定により切り換える切換え機構を備えていることを特徴とするものである。
【考案の効果】
【００１０】
本考案に係るウイルス除去装置によれば、微酸性電解水の貯留タンクと、液ポンプと、噴霧ノズルと、噴霧ノズル内の加熱機構とを備えているので、貯留タンクからの微酸性電解水は加熱機構により所定温度例えば８０℃程度に加熱されたのちにノズル先端部から噴霧される。すなわち、温度上昇により相対粘度が小さくなった微酸性電解水の液滴がノズル先端部から噴霧されるから、それらの液滴は微細粒となって空中に放出される。これにより、放出された微細粒は空中を長時間漂って新型コロナウイルスを確実に殺菌・除菌することができる。また、放出された液滴はそれらのほとんどが微細粒であるので、ウイルス除去のためには少量の微酸性電解水で済むから、安価に実現され得る。尚、本考案で云う微細粒とは、粒径が１５μｍ以下の液粒を指している。
【００１１】
また、人感センサーと制御機構とを備えているものでは、人感センサーが人を検知したときに制御機構が液ポンプを駆動して微酸性電解水の微細粒を噴霧ノズルより噴霧させるから、人がいないときには微酸性電解水を噴射させないので、高価な微酸性電解水を浪費せず有効的に使うことができる。
【００１２】
そして、タイマー機構を備えて成るものでは、タイマー機構の計時に基づいて液ポンプの始動または停止をさせるので、人の存否に無関係に、予め決められた時間または時刻に微酸性電解水を噴霧させたり停止させたりすることができる。
【００１３】
更に、人感センサー、制御機構ならびにタイマー機構を有するものにおいて切換え機構を備えているものでは、外部からの設定により、切換え機構が人感センサーによる液ポンプの駆動とタイマー機構による液ポンプの駆動とを切り換えるので、人感センサーによる噴霧動作と、タイマー機構による噴霧動作とを随意に選択することができる。これにより、例えば来室する人の数が多いときは人感センサーによる噴霧動作を選択して来室者ごとに液噴霧を行ない、来室者数が少ないことが予測される時間帯は、タイマー機構による液噴霧動作によってウイルス除去効果が低下し過ぎないよう適切な室内環境に保つといった態様を選択できる。
【図面の簡単な説明】
【００１４】
【図１】本考案の一実施形態に係るウイルス除去装置の外観図である。
【図２】前記ウイルス除去装置を示した図であって、（ａ）は正面図、（ｂ）は側面図、（ｃ）は背面図である。
【図３】前記ウイルス除去装置の要部を構成する部品を示した概略配線図である。
【図４】前記ウイルス除去装置の使用態様を示す説明図である。
【考案を実施するための形態】
【００１５】
以下、本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係るウイルス除去装置の外観図、図２は前記ウイルス除去装置を示した図であって、（ａ）は正面図、（ｂ）は側面図、（ｃ）は背面図である。
各図において、この実施形態に係るウイルス除去装置１は、諸部品を収容するケーシング２を備えている。このケーシング２は、上面開口２Ｆを有する例えば矩形有底箱状のケーシング本体２Ａと、ケーシング本体２Ａの上面開口２Ｆを蓋止する蓋体２Ｂとから構成されている。ケーシング本体２Ａの前面２Ｇには、ＬＥＤ２０用の貫通孔（符号付け省略）、噴霧ノズル１１用の貫通孔２Ｄおよび人感センサー７用の貫通孔２Ｅが形成されている。ケーシング本体２Ａの背面には、電源スイッチ１２、入切スイッチ１３および切換スイッチ１４が取り付けられ、プラグ１６付きの交流電線１５が引き出されている。ケーシング本体２Ａの左右側面には、手提げ用の把手用孔２Ｃ，２Ｃが形成されている。
【００１６】
ケーシング２の内部空間２Ｈには、後でそれぞれ説明する、貯留タンク５、スイッチング電源６、人感センサー７、タイマー機構８、リレーモジュール９、液ポンプ１０、電熱ヒータ２８付きの噴霧ノズル１１がそれぞれ配備されている。
貯留タンク５は微酸性電解水Ｐを貯留するもので内容量は例えば１０Ｌである。微酸性電解水Ｐはキャップ５Ａを開いた給水口から貯留タンク５内に供給される。微酸性電解水Ｐは、森永製菓社製の微酸性電解水生成装置「商品名：ピュアスター」を用い希塩酸を原料として電気分解により生成した次亜塩素酸を主成分とするものを用いた。用いた微酸性電解水Ｐの塩素濃度は２５〜３０ｐｐｍであり、ｐＨは５〜５．５であった。
【００１７】
そして、このウイルス除去装置１では、図３に示すように、プラグ１６および交流電線１５からの１００Ｖ交流電源が電源スイッチ１２を介してスイッチング電源６に入電されるように電気配線がなされている。スイッチング電源６が１００Ｖ交流電源を１２Ｖ直流電源に変換して、人感センサー７，タイマー機構８およびリレーモジュール９に給電するように、これらの間に電気配線がなされている。そして、スイッチング電源６の出力側には人感センサー７またはタイマー機構８への給電を切換える切換スイッチ１４が配備されている。交流電線１５の途中には、ヒューズ１２付きの電源スイッチ１２が配備されている。電源スイッチ１２の１極には電源の入切状態を表示する抵抗２１付きのＬＥＤ２０が配線接続されている。このＬＥＤ２０は電源スイッチ１２が入電にされているときに電球色に点灯する。
【００１８】
人感センサー７は基板の表面側に透明樹脂製の集線ドーム４および赤外線検知素子（符号付け省略）が配備され、基板の裏面側には前記の赤外線検知素子と信号線接続されたＣＰＵ２２が配備されている。この人感センサー７は高レベル信号が３．３Ｖ、低レベル信号が０Ｖ、ドレイン電流が５０μＡに設定されている。タイマー機構８は常に計時を行なっているが、利用者等により外部入力器３０から所定時間（例えば１０秒間）または所定時刻（午前９時、午後１時、午後３時、１０分間隔など）が予め外部から入力されてＣＰＵ２９に設定されている。これらの計時データ、所定時間および所定時刻は逐次に数値表示器２３に表示される。このタイマー機構８は信号電圧が４〜２０Ｖ、静電流が２０ｍＡ、動作電流が５０ｍＡに設定されており、設定可能時間が０．０１秒〜９９９時間となっている。そして、リレーモジュール９（制御機構の一例）は、人感センサー７のＣＰＵ２２（制御機構の一例）からの出力信号、またはタイマー機構８のＣＰＵ２９（制御機構の一例）からの出力信号に基づき、予め当モジュールに設定されている動作処理手順に沿って液ポンプ１０を駆動・停止させるものである。このリレーモジュール９は１チャンネル式であって最大電流が８０ｍＡであり、トリガーは電流が２〜５ｍＡ、低電圧が０〜４Ｖ、高電圧が４．５〜１２Ｖに設定されている。
【００１９】
液ポンプ１０は、その入側管２４が貯留タンク５の吸込み側管５Ｂに導液管１７を介して配管接続されている。この液ポンプ１０は容量が１８Ｗ、平均流量が６０〜１２０ｍＬ／分、最大吐出圧が２〜５バール以上の性能を有している。噴霧ノズル１１のノズル本体２７の先端にはノズル先端部３が配備され、ノズル本体２７の後端には導液管１８を介して液ポンプ１０の吐出管２５（管内径が例えば１ｍｍφ）と配管接続される入側管２６が配備されている。ノズル先端部３のノズル径は例えば１ｍｍφに設定されていて、毎秒０．１５ｍＬの微酸性電解水Ｐを噴出する。更に、電熱ヒータ２８（加熱機構の例）が噴霧ノズル１１のノズル本体２７内に配備されている。この電熱ヒータ２８は容量４００Ｗ（１００Ｖ）のシート状ヒータ式を採用してある。電熱ヒータ２８には、夏場などのヒータ不要時に切電するための入切スイッチ１３が接続されている。
【００２０】
上記のように構成された本実施形態のウイルス除去装置１の作用を、図１〜図３のみならず図４も用いて説明する。ここでは、利用者により切換スイッチ１４が切り換えられて人感センサー７による人検知モードの噴射運転に設定されている状態から説明する。
まず、ウイルス除去装置１が設置されている室内Ｒに人Ｍが入ってくると（図４参照）、人感センサー７は、人Ｍから発せられた赤外線ＩＲを集線ドーム４で受光して汎用ＩＲセンサー（図示省略）が受信し、この受信信号を基にＰＵ２２が人Ｍの存在を検知する。そして、ＣＰＵ２２はこの検知信号をリレーモジュール９に出力する。そこで、リレーモジュール９は、人感センサー７が人Ｍの存在を検知したときに液ポンプ１０を駆動させるように駆動指令出力をし、駆動した液ポンプ１０は貯留タンク５からの微酸性電解水Ｐを汲み上げ噴霧ノズル１１に向けて吐出する。そうして、噴霧ノズル１１内の流路では微酸性電解水Ｐが流通しながら電熱ヒータ２８により所定温度（例えば８０℃）に加熱される。尚、加熱に設定される所定温度は、８０℃に限るものでなく、微酸性電解水Ｐから多量の微細粒ＰＰを生成し得る温度であれば、特に限定されない。
【００２１】
このように加熱された微酸性電解水Ｐはノズル先端部３から微細粒ＰＰとなって矢印Ｄ１のように噴霧される。噴霧された微細粒ＰＰの粒径分布を調べてみると、粒径１５μｍ以下のものが６０％以上あった。この人検知モードにおける微細粒ＰＰの噴霧時間はタイマー機構８により決められており、この例では１０秒間（所定時間）である。タイマー機構８は１０秒間が経過するまで液ポンプ１０の駆動指令信号をリレーモジュール９に出力する。この１０秒間で１．５ｇの微細粒ＰＰが噴射され、噴射された微細粒ＰＰはあたかも燻煙のように、すなわち矢印Ｄ２，Ｄ３，Ｄ４のように立ち上って、室内Ｒに広がっていき長時間浮遊している。そうして、本考案者が鋭意実験を重ねた結果、４畳半程度の部屋であれば１．５ｇ（１０秒間噴射量）の微細粒ＰＰで新型コロナウイルスの除去を行えることが分かったのである。
【００２２】
上記したように、この実施形態のウイルス除去装置１によれば、貯留タンク５から液ポンプ１０により汲み上げられた微酸性電解水Ｐが噴霧ノズル１１内の電熱ヒータ２８により８０℃程度に加熱されたのちにノズル先端部３から噴霧される。すなわち、温度上昇により相対粘度を小さくされた微酸性電解水Ｐがノズル先端部３から噴霧されるから、微酸性電解水Ｐは微細粒ＰＰとなって空中に放出される。これにより、放出された微細粒ＰＰは空中を長時間漂って新型コロナウイルスの殺菌・除菌を確実に行なうことができる。また、放出された液滴はそれらの多くが微細粒ＰＰであるので、微酸性電解水Ｐは高価であるが、少量の微酸性電解水Ｐで済むから、ウイルス除去をするうえで安価に提供される。
【００２３】
また、人感センサー７が人Ｍを検知したときにＣＰＵ２２およびリレーモジュール９が液ポンプ１０を駆動して微酸性電解水Ｐの微細粒ＰＰを噴霧ノズル１１より噴霧させるから、人Ｍがいないときには微酸性電解水Ｐを噴射させないので、高価な微酸性電解水Ｐを浪費せず有効に使用することができる。
【００２４】
尚、上記の実施形態では、人感センサー７による噴射モードの運転を例示したが、本考案はそれに限定されるものでない。例えば、タイマー機構８による噴射モードで運転することも可能である。その場合は、利用者が手動（外部からの設定）で切換スイッチ１４をタイマー機構８側に切り換えればよいのである。すなわち、切換スイッチ１４の切換えにより、人感センサー７による液ポンプ１０の駆動からタイマー機構８による液ポンプ１０の駆動に切り換えられる。このタイマー機構８による噴射モードの運転では、タイマー機構８からの指令信号がリレーモジュール９に入力され、タイマー機構８の設定時間や設定時刻に基づいて液ポンプ１０を駆動させる。例えば、１０分間（設定時間）経過ごとに１０秒間ずつ微酸性電解水Ｐを噴射させるのである。
【００２５】
このように、タイマー機構８の計時に基づいて液ポンプ１０の始動または停止をさせるので、人Ｍの存在に無関係に、予め決められた時間または時刻に微酸性電解水Ｐの微細粒ＰＰを噴霧させたり停止させたりすることができる。
【００２６】
そして、切換スイッチ１４の手動操作によって、人感センサー７による液ポンプ１０の駆動とタイマー機構８による液ポンプ１０の駆動とに切り換えられるから、人感センサー７による噴霧動作と、タイマー機構８による噴霧動作とを随意に選択することができる。これにより、例えば来室する人Ｍの数が多いときは人感センサー７による噴霧動作を選択して来室者ごとに液噴霧を行なう。但し、一定時間あたりの噴射回数が過度にならないように、回数制限を設けておくとよい。他方で、来室者数が少ないことが予測される時間帯は、タイマー機構８による一定間隔の液噴霧動作を行なうことにより、ウイルス除去効果を低下させないよう室内Ｒの環境を適切に保つ運転を実施することができる。
【００２７】
以上に縷々説明してきたように、本考案は、上記した実施の形態に限定されるものではない。すなわち、本考案の分野における通常の知識を有する者であれば想到し得る、各種変形、修正を含む、本考案の要旨を逸脱しない範囲の設計変更があっても、本考案に含まれることは言うまでもない。
【符号の説明】
【００２８】
１    ウイルス除去装置
２    ケーシング
３    ノズル先端部
４    受光ドーム
５    貯留タンク
７    人感センサー
８    タイマー機構
９    リレーモジュール（制御機構）
１０  液ポンプ
１１  噴霧ノズル
１４  切換スイッチ（切換え機構）
１７  導液管
１８  導液管
２２  ＣＰＵ（制御機構）
２５  吐出管
２８  電熱ヒータ（加熱機構）
２９  ＣＰＵ
Ｄ１  矢印
Ｍ    人
Ｐ    微酸性電解水
ＰＰ  微細粒
ＩＲ  赤外線
【図１】
0003233539.tif 000003
【図２】
0003233539.tif 000004
【図３】
0003233539.tif 000005
【図４】
0003233539.tif 000006